(57)【要約】  蓋（２０）用の座を上縁部（１０ａ）が画定した側壁（１０）を有した筒状本体（１）を備えた缶およびポット用の密封構造物。上縁部（１０ａ）は、筒状本体（１）の軸線に直交した同一平面（Ｐ）に曲率中心が配置された対向する２つの円弧部分（１２ａ）を備えた断面輪郭を備えた連続リブ（１２）を自由外縁部に担持した周囲環状フランジ（１１）を備え、蓋（２０）の下方には、蓋（２０）を筒状本体（１０）内で軸方向にロックするように、連続リブ（１２）のそれぞれの円弧部分（１２ａ）に対して着座される連続円周溝（２４）が設けられている。環状ガスケット（３０）は、周囲環状フランジ部分（１１）と蓋部分（２０）の一方によって担持されて、蓋の密封時には上記部分の他方によって押圧される。
2010506805.tif 000002
【特許請求の範囲】
【請求項１】
プラスチック材料で製作され、手で取り外される蓋（２０）を着座させ、保持するための座を画定した上縁部（１０ａ）を有する側壁（１０）を有した、金属シートからなる筒状本体（１）を備えたタイプの缶およびポット用の密封構造物であって、側壁（１０）の上縁部（１０ａ）は、筒状本体（１）から半径方向外向きに突き出て内側で筒状本体（１）に組み込まれて自由外縁部に、筒状本体（１）の軸線に直交する同一平面（Ｐ）に曲率中心が配置された２つの対向する円弧部分（１２ａ）を断面輪郭が備えた、周囲環状フランジ（１１）から上方に突き出た連続リブ（１２）を担持した周囲環状フランジ（１１）を備え、蓋（２０）の下方には、蓋（２０）を筒状本体（１０）内で軸方向にロックするように、連続リブ部分（１２）と蓋部分（２０）のうちの少なくとも一方の弾性変形によって平面（Ｐ）の上下で連続リブ（１２）のそれぞれの円弧部分（１２ａ）に対して着座される上環状壁部分（２４ａ）、内壁部分（２４ｂ）、および外壁部分（２４ｃ）を備えた連続円周溝（２４）が設けられ、前記構造物は、周囲環状フランジ部分（１１）と蓋部分（２０）のうちの一方によって担持されて蓋の密封時に前記部分のうちの他方によって押圧される環状ガスケット（３０）をさらに備えることを特徴とする、構造物。
【請求項２】
連続リブ（１２）が、２つの円弧部分（１２ａ）の円形輪郭と一致した、周囲環状フランジ（１１）に接した円形輪郭を備えた断面を有していることを特徴とする、請求項１に記載の構造物。
【請求項３】
周囲環状フランジ（１１）および連続リブ（１２）が、筒状本体（１）の側壁（１０）と一体的に形成されていることを特徴とする、請求項１または２に記載の構造物。
【請求項４】
筒状本体（１）の側壁（１０）の周囲環状フランジ（１１）には、ガスケット（３０）の基礎部分を受け取りかつ埋め込むように寸法決めされた、浅浮き彫りの円周チャネル（１１ａ）が設けられていることを特徴とする、請求項１に記載の構成要素。
【請求項５】
蓋（２０）が一体的に、中央壁（２１）と、中央壁（２１）に下方で組み込まれかつ連続円周溝（２２）が下に設けられた環状壁（２３）を上方に組み込んだ周囲壁（２２）とを備えることを特徴とする、請求項１に記載の装置。
【請求項６】
蓋（２０）の環状壁（２３）の内側には、ガスケット（３０）の基礎部分を受け取りかつ埋め込むように寸法決めされた、浅浮き彫りの円周チャネル（２３ａ）が設けられていることを特徴とする、請求項５に記載の装置。
【請求項７】
環状ガスケット（３０）が周囲環状フランジ（１１）によって担持され、蓋（２０）の環状壁（２３）の下方は、蓋（２０）の閉鎖時に環状ガスケット（３０）に対して押圧される少なくとも１つの連続リブ（２５）を組み込んでいることを特徴とする、請求項５に記載の装置。
【請求項８】
蓋（２０）の環状壁（２３）の周囲かつ下方が複数の破断性ブリッジ（２６）を介して、蓋（２０）から下垂した円筒状スカートの形態の密閉用ストリップ（２７）を担持することを特徴とする、請求項５に記載の構造物。
【請求項９】
筒状本体（１０）が、蓋（２０）の外側輪郭の軸方向の突出が前記筒状本体（１）の残りの部分（１ｂ）の輪郭よりも内側になるように、前記筒状本体（１）の前記残りの部分（１ｂ）の輪郭が小さい断面輪郭を有した上方部分（１ａ）を有していることを特徴とする、請求項８に記載の構造物。
【請求項１０】
筒状本体（１）の上方部分（１ａ）の高さが、密閉用ストリップ（２７）の下縁部と筒状本体（１）の上縁部（１０ａ）との間の軸方向間隔よりも僅かに大きいことを特徴とする、請求項９に記載の構造物。
【請求項１１】
環状ガスケット（３０）が蓋（２０）の環状壁（２３）の下に取り付けられ、筒状本体（１）の周囲環状フランジ（１１）は、蓋（２０）の閉鎖時に環状ガスケット（３０）に対して押圧される少なくとも１つの連続リブ（１５）を上方に組み込んでいることを特徴とする、請求項１に記載の構造物。
【請求項１２】
周囲環状フランジ（１１）の連続リブ（１５）が、周囲環状フランジ（１１）の変形によって得られることを特徴とする、請求項１１に記載の構造物。
【発明の詳細な説明】
【技術分野】
【０００１】
本発明は、手で取り外しできるプラスチックの蓋が着座および保持される座を形成する上縁部を有する筒状本体を備えたタイプの缶の密封を提供する構造物に関する。
【背景技術】
【０００２】
本発明の課題に関係した従来技術は、様々な缶密封構造物を提供しているが、それらは主に、密封される容器の密閉性、ならびに上記容器の内部に保管された商品を徐々に消費する間、使用者によって容器が容易に再密封される可能性を保証するように開発されている。
【０００３】
これらの密閉密封構造物は一般的に、レバーの形態の任意の道具を用いることが開封に必要な蓋を使用することによって金属缶内に画定される。他の知られている構造物では、蓋の密封は、プラスチックまたはガラスで製作された様々なポットを覆うように行われ、蓋の保持は、ポットまたは蓋の構造に組み込まれた追加の保持要素によって保証される。
【０００４】
これらの解決策のうちの１つでは、構造的な複雑さからではなく、使用者が容器を開封できるようにするためにレバーが必要となることから不便さが生じている。
【０００５】
他の解決策では、蓋を取り外すための追加の道具を使用する必要はないが、蓋を容器に取り付けるために、その構造的構成が追加の手段を必要とし、その手段は一般的に複雑な構造であり、最終商品の価格を大幅に上げてしまう。
【０００６】
他のよく知られた構造物では、蓋は、僅かな弾性変形とともに嵌め込むことによって容器の上縁部に着座および保持されて、容器上での蓋の確実な保持を保証するようにする。しかし、プラスチック容器で広く利用されているこれらの構造物は、蓋と容器の相互の嵌め合わせの充分な緊密性を保証せず、したがって上記容器の内容物を消費する過程の比較的短期間の保管局面で暫定的に、様々な商品、特に食品を保管するためにしか利用されていない。
【０００７】
従来技術の不都合さを最小限に抑えることを目的として、本出願人によって特許出願第ＰＩ０２００８９１−２号明細書の密封構造対象物が提案されている。これは、少なくとも１つの円弧部分によって画定された断面を備えた連続リブの形態の上縁部、ならびに連続リブ上に着座される上環状壁と連続リブの円弧部分が着座される円周内壁とを有する連続円周溝が設けられた、通常はプラスチック材料の蓋を有した缶を提供する。
【０００８】
以上に言及した密封構造物は、蓋の充分な緊密性と確かな軸方向の保持とを保証するが、改良されることが必要な側面を尚も提示している。
【０００９】
この従来の解決方法では、蓋の軸方向の保持は、蓋の円周溝の内壁と連続リブのそれぞれの半径方向内側円弧部分との間の干渉によってのみ保証される。しかし、この嵌め込みは、蓋が、容器内の内圧などの、上記蓋を缶内のその着座から軸方向外向きに変位させる傾向にある力を受ける用途においてのみ、蓋の緊密性と軸方向の保持とを保証するのに特に適している。缶が、蓋の最初の開封が起こるまで内部で負圧を受ける場合には、上述の従来の解決方法は長期の保管期間中に緊密な密封を保証しない。
【００１０】
また、多くの場合、缶の上縁部の連続リブによって、または蓋の円周溝によって担持された、通常プラスチゾルなどのプラスチック材料で製作された密閉用環状ガスケットを設けることによって密封の緊密度を高めることがさらに望ましいことにも留意されたい。
【発明の概要】
【発明が解決しようとする課題】
【００１１】
上記ガスケットは密封の緊密度を高めるが、それらは直接的に蓋と缶の上縁部が着座されかつ軸方向に保持される座（リブ）との間で作動することから、蓋を軸方向に保持する構成に対する干渉を回避するために特別の注意と複雑な使用法を必要とし、通常、密封の保持および緊密性の欠陥から望ましくないレベルの無駄を発生させる。
【００１２】
本発明の目的は、内部で正圧または負圧を受ける金属缶用の密封構造物であって、比較的低コストの簡単な構造によって、高緊密度の缶の密封、追加の手段または道具を必要としない簡単な動作による蓋の容易な開封および再密封、ならびに密封状態における蓋の確実な軸方向の保持を同時に得ることを可能にする構造物を提供することである。
【００１３】
本発明のさらなる目的は、以上に言及した密封構造物であって、蓋の最初の開封の証拠付けをする改竄明示手段を含んだ密封構造物を提供することである。
【００１４】
既に以上に述べたように、本密封構造物は、筒状本体の密封位置から手で取り外すことができる、プラスチック材料の蓋を着座させかつ保持する座を画定した上縁部を有する筒状本体を備えたタイプの缶に適用される。
【課題を解決するための手段】
【００１５】
本発明によると、筒状本体の上縁部は、筒状本体から半径方向外向きに突き出て、内側で筒状本体に組み込まれ、自由外縁部に、周囲環状フランジから上向きに突き出た、筒状本体の軸に直交した同一平面内に曲率中心が配置された対向した２つの円弧部分を備えた断面外形を有する連続リブを担持した周囲環状フランジを備えるように構築されている。
【００１６】
蓋には下方で、筒状本体の蓋を軸方向にロックするように、連続リブ上に着座される上環状壁部分と、連続リブ部分および蓋部分のうちの少なくとも一方の弾性変形によって上記平面の上下で連続リブのそれぞれの円弧部分に対して着座される内壁部分および外壁部分とを備えた連続円周溝が設けられている。
【００１７】
本密封構造物は、周囲環状フランジ部分と蓋部分の一方によって担持され、蓋の密封時に上記部分の他方によって押圧される密閉用ガスケットをさらに備える。
【００１８】
好ましい構造では、蓋は周囲および下方に、蓋の最初の開封時に使用者によって手で破られる密閉ストリップを複数の破断性ブリッジを介してさらに担持しており、上記密閉ストリップは一般的に、上記密閉ストリップを筒状本体のより大きな輪郭の内部に維持し、それによって缶の取扱い作業および出荷作業中の望ましくない衝撃から保護されるよう維持するように、筒状本体の残りの部分よりも小さな断面輪郭を有する筒状本体の上領域内に位置決めされている。
【００１９】
蓋の下の連続円周溝の構造は、外側と内側の両方で筒状本体の上縁部の連続リブのそれぞれの円弧部分と協働するが、上記蓋が、内圧、または蓋を本体から外向きに引っ張る力を受ける状態で、ならびに、商品が負圧条件下で保管されるときに起こる、蓋を缶の内部に押しやる軸方向の力を上記蓋が受ける状態で、蓋が上記連続リブ内に確実に軸方向にロックされて、蓋の最初の開封前の長期の全保管期間中そのように維持されることを可能にする。
【００２０】
蓋と筒状本体の周囲環状フランジとの間にガスケットを設けることは、蓋の充分な軸方向のロックを達成するように、上記ガスケットが、ガスケットの構造的突出が連続リブと蓋の連続円周溝との構造的突出に干渉せずに、専ら高度の密閉緊密性を保証することを目的として構築されることを可能にする。
【００２１】
したがって、本明細書で提案される構造的解決法は、蓋の缶への機械的保持に関する高度の確実性、ならびに、蓋の最初の開封前のみならずその後の保管商品が徐々に消費される間の、蓋が連続的に再密封される間にも高度の緊密性が得られることを保証することを目的としている。
【００２２】
本発明の可能な実施形態の一実施例としてここに掲げられている同封の図面を参照して、本発明が以下に記述される。
【図面の簡単な説明】
【００２３】
【図１】上蓋によって密封され、本発明の密封構成対象物を組み込んだ缶の部分断面側面図である。
【図２】図１に示されたアセンブリの上面図である。
【図３Ａ】分解された状態における蓋とガスケットと筒状本体の上部分との部分直径垂直断面図であって、上記断面は図２の線ＩＩＩ−ＩＩＩによるものである。
【図３Ｂ】図３Ａに示された図と類似の図であるが、蓋は筒状本体上に取り付けられて、組み合わされた状態にある。
【図４Ａ】図３Ａに示された図と類似の図であるが、環状ガスケットを缶の蓋の中に組み立てるための他の可能な構造を示している。
【図４Ｂ】図３Ｂに示された図と類似の図であるが、環状ガスケットを缶の蓋の中に組み立てるための他の可能な構造を示している。
【発明を実施するための形態】
【００２４】
既に述べられ、図面で示されたように、本密封構造物は、手で取り外され、缶の上に位置決めし直されて、缶の最初の開封から数回缶を密封して、保管された商品を徐々に消費することを可能にする、プラスチック材料で構築された蓋２０を着座させ保持するための座を画定した上縁部１０ａを、金属シートで形成された側壁１０が有している筒状本体１を備えたタイプの缶に適用される。
【００２５】
本発明によると、筒状本体１の上縁部１０ａは周囲環状フランジ１１を備える。周囲環状フランジ１１は、自由外縁部で、周囲環状フランジ１１から通常上向きにだけ突き出た、筒状本体１の軸に対して直交した平面Ｐ内に曲率中心を配置して有した対向した２つの円弧部分１２ａを備えた断面輪郭を有する連続リブ１２を担持するように、筒状本体１から半径方向外向きに突き出、内側では筒状本体１に組み込まれている。
【００２６】
ここに示された好ましい構造では、周囲環状フランジ１１と連続リブ１２とは筒状本体１の側壁１０と一体的に形成されて、周囲環状フランジ１１と連続リブ１２との設置を可能にするように上記側壁１０を形成した金属シートが適切に変形されるのに充分となっている。この場合には、連続リブ１２は筒状本体１の金属シートの側壁１０を湾曲させることによって得られる筒形状を有し、上記連続リブ１２は好ましくは２つの円弧部分１２ａの円輪郭と一致した円形輪郭を有している。
【００２７】
ここに示されているように、連続リブ１２は、周囲環状フランジ１１への位置決め接線を有し、そのようにして周囲環状フランジ１１の平面の直ぐ上に位置決めされて、周囲環状フランジ１１の平面と連続リブ１２の円周拡張部全体に上方で接する平面との間に一定の軸方向間隔が画定されることを可能にする。
【００２８】
さらに本発明によって、蓋２０の下方には連続円周溝２４が設けられている。連続円周溝２４は、蓋２０を筒状本体１０内で軸方向にロックするように、筒状本体１の連続リブ１２上に着座されるように構成された上環状壁部分２４ａと、連続リブ１２および／または蓋２０の弾性変形によって平面Ｐの上下両方で連続リブ１２のそれぞれの円弧部分１２ａに対して着座される内壁部分２４ｂと外壁部分２４ｃとを備える。
【００２９】
本密封構造物は、周囲環状溝１１または蓋２０によって担持される密閉用環状ガスケット３０をさらに備え、環状ガスケット３０は、蓋の密封時に上記部分の他方によって押圧される。
【００３０】
ここに示された構造では、蓋２０は、一体的に、適切なプラスチック材料で成形された形で、実質的に筒状本体１の開いた上領域を覆うように寸法決めされた中央壁２１と、下方で中央壁２１に組み込まれ、半径方向外向きに突き出た、連続円周溝２４が下に設けられた環状壁２３を上方に組み込んだ周囲壁２２とを備える。
【００３１】
図３Ａおよび図３Ｂで示された構造では、環状ガスケット３０は周囲環状フランジ１１によって担持され、上記環状ガスケット３０は糊づけまたは他の方法で周囲環状フランジ１１に取り付けられている。当然のことながら、周囲環状フランジ１１は、環状ガスケット３０の基礎部分を受け取りかつ埋め込むように寸法決めされた、浅浮き彫りの円周チャネル１１ａを有することができて、特にガスケットがプラスチゾルなどの成形材料で得られている場合に、周囲環状フランジ１１上への上記ガスケットの設置をし易くする。
【００３２】
図３Ａおよび図３Ｂでさらに示されているように、蓋２０の環状壁２３は少なくとも１つの連続リブ２５を下方で一体的に組み込むことが可能である。連続リブ２５は、蓋２０の密封時に環状ガスケット３０に対して押圧されるように構成されて、蓋２０／環状ガスケット３０の相互着座の緊密度をさらに高める。
【００３３】
図４Ａおよび図４Ｂに示された本発明の他の可能な実施形態では、環状ガスケット３０は蓋２０の環状壁２３の下に取り付けられている。この例示的な構造では、図４Ａおよび図４Ｂで示されているように、筒状本体１の周囲環状フランジ１１は、蓋２０の密封時に環状ガスケット３０に対して押圧される少なくとも１つの連続リブ１５を上方に組み込むことができる。
【００３４】
当然のことながら、蓋２０の環状壁２３は、図４Ａおよび図４Ｂで示されているように、環状ガスケット３０の基礎部分を受け取りかつ埋め込むように寸法決めされた、浅浮き彫りの円周チャネル２３ａを内側に有することが可能である。
【００３５】
さらに図４Ａおよび図４Ｂで示された構造によると、周囲環状フランジ１１と連続リブ１２を設けるように筒状本体１を形状化する作業中に、周囲環状フランジ１１の連続リブ１５は、周囲環状フランジ１１を変形させることによって得られることが可能である。
【００３６】
既に述べたように、保管商品の安全性および不可侵性を保証するために、蓋の最初の開封を証拠付けすることが可能な要素を本密封構造物に設けることが望ましい。したがって、蓋２０の環状壁２３は周囲かつ下側に複数の破断性ブリッジ２６を介して、通常蓋２０から下垂した円筒状スカートの形態の密閉用ストリップ２７を担持することができる。
【００３７】
密閉用ストリップ２７が、密封缶の出荷および取扱い作業中に、他の物体または類似の密閉用ストリップにより望ましくない衝撃を受けることを防止するために、筒状本体１は、蓋２０の外側輪郭の軸方向の突出が筒状体１の残りの部分１ｂの輪郭よりも内側に留まるように、上記筒状本体１の上記残りの部分１ｂの輪郭が小さい断面輪郭を有した上方部分１ａを有することが好ましい。
【００３８】
細長いレバーの形態の道具が連続リブ１２の領域にアクセスし、そのようにして密閉ストリップ２７の破断性ブリッジ２６を破裂させることなく蓋を持ち上げることによって缶の内容物を侵害することを困難にすることを目的として、筒状本体１の上方部分１ａの高さは、密閉用ストリップ２７の下縁部と筒状本体１の側壁１０の上縁部１０ａとの間の軸方向間隔よりも極僅かに大きい。
【００３９】
上述の筒状本体１の構造配置によって、密閉用ストリップ２７の下縁部は筒状本体１の側壁１０に隣接して位置決めされて、密閉用ストリップと筒状本体１との間に存在する環状の隙間の中に導入される道具、レバー、または任意の金属棒が、密閉用ストリップとその破断性ブリッジ２６とを破損せずに、蓋の着座および保持領域に到達して蓋を軸方向にロック解除するのに充分な程上記領域を変形させることを実施不可能にする。
【００４０】
ここでは本密封止構造物の構造形態が２つしか示されていないが、当然ながら、本明細書に付随した請求項で規定された構造概念から逸脱せずに、構成要素の形態および配置に変更がなされることが可能である。
【図１】
2010506805.tif 000003
【図２】
2010506805.tif 000004
【図３Ａ】
2010506805.tif 000005
【図３Ｂ】
2010506805.tif 000006
【図４Ａ】
2010506805.tif 000007
【図４Ｂ】
2010506805.tif 000008
【国際調査報告】
2010506805.tif 000009
2010506805.tif 000010